(57)【要約】【課題】  長尺の収納物の収納が容易にでき、収納量のある押入れ床下収納装置を提供するものである。【解決の手段】  押入れＡの床面に開口部８が設けられ、押入れの真下の床下部分に収納空間１１ａが、押入れＡの出し入れ口から遠ざかる方向に長い床下部分に収納空間１１ｂが設けられ、長尺の収納物Ｂを収納空間１１ｂを利用して、収納空間１１内で回転させて長尺の収納物を縦に収納できる押入れ床下収納装置。【選択図】  図１
2006219962.tif 000002
【特許請求の範囲】
【請求項１】
押入れの床面に開口部が設けられ、その開口部の真下の床下部分及び押入れ周辺の床下部分を収納空間とし、その収納空間は少なくとも押入れの出し入れ口から遠ざかる方向に長くなっており、長尺の収納物を開口部より斜めに入れて前記収納空間内で回転させることにより長尺の収納物を縦に収納可能になっていることを特徴とする押入れ床下収納装置。
【請求項２】
収納容器が床下部分に設定した移動経路に沿って移動可能にされ、収納容器内の収納物が上記押入れ床面に設けた開口部より出し入れ可能となっていることを特徴とする請求項１記載の押入れ床下収納装置。
【発明の詳細な説明】
【技術分野】
【０００１】
本発明は、建物内の押入れの床下部分を使用した押入れ床下収納装置に関する。
【背景技術】
【０００２】
従来、押入れとしては居室床面より、約７００〜８００ｍｍ上の高さに中棚があり、更に１０００〜１１００ｍｍ程度上がった所に長押、その上に天袋がある構成が一般的である。使い方としては、通常中棚の上部には蒲団等の湿気を嫌うものが収納され、その他の収納物が中棚の下に収納されていることが多い。
【０００３】
このような押入れでは、中棚の下の収納部分の高さが約７００〜８００ｍｍしかないため、長尺の収納物は横に寝かさないと収納出来ないなどの課題があった。特に長さが１１００ｍｍを超える収納物は中棚の上部にも収納物を縦にした状態では収納することができず不便であった。
押入れに類似する、洋服用の収納には、特許文献１記載の発明のように、収納の床下部分に収納箱を設けて、収納の床上部分と床下の収納箱を一体に使用して長尺の洋服（コート等）などを収納できるようにした発明が記載されている。
【０００４】
また、床下部分の利用手段としては、通常床面に開口部を設け、床下部分に収納容器を設けた床下収納庫が一般的である。例えば、特許文献２記載の発明では、床面に開口部を設け、床下部分にレールを環状のエンドレスに設け、そのレール上を複数個の収納容器が連続して設置され、収納容器がレール上を回転することにより全ての収納容器の収納物が床面の開口部から確認できる発明が記載されている。
【特許文献１】特開平１１−１９０１２４号公報
【特許文献２】特開平７−３２４４７４号公報
【発明の開示】
【発明が解決しようとする課題】
【０００５】
特許文献１記載の発明のように、洋服等を中心とした収納の場合では、洋服が柔軟で変形可能なため、洋服を一旦折り曲げて、その裾部分を下部収納箱内に入れることできる。したがって、床下部分に収納箱を設けて、床上部分と一体に使用することだけで長尺の洋服の収納も可能となっている。
【０００６】
しかし、押入れの場合は、通常中棚の下の空間に洋服を吊って収納することは少なく、容易に折り曲げることができない収納物を収納することが多い。また、押入れは中棚が居室床面より約７００〜８００ｍｍ程度の高さにあり、収納するための高さが洋服収納に比べずいぶん低くなっている。よって、押入れの場合は、特許文献１記載の発明のように収納の真下の床下部分に収納箱を設けただけでは十分に長尺の収納物を収納することが出来ない。
【課題を解決するための手段】
【０００７】
本発明は上記課題を解消するためになされたものであり、請求項１記載の発明の押入れ床下収納装置は、押入れの床面に開口部が設けられ、その開口部の真下の床下部分及び押入れ周辺の床下部分を収納空間とし、その収納空間は少なくとも押入れの出し入れ口から遠ざかる方向に長くなっており、長尺の収納物を開口部より斜めに入れて前記収納空間内で回転させることにより長尺の収納物を縦に収納可能になっていることを特徴とする。
【０００８】
押入れの出し入れ口は通常の引き違いふすま等を使用したものだけでなく、洋室に多い板材等の折り戸や引き違いを使用したものも使用できる。また、通常の押入れは中棚が一ヶ所であるが必要であれば複数箇所設けたものでもよい。
床下部分とは、例えば、地上階であれば居室床面から床下底面までの部分に収納空間が構成される。地上階以外では、下階の天井と該当階の床面の間の部分に収納空間が構成される。この際、床下部分と居室部分の温度差などにより収納空間内が結露をしないように、地上階では基礎に断熱材を設ける基礎断熱工法などにより床下部分を断熱し居室部分の温度に近づけておくとよい。
本発明において、押入れの床面に平行な方向を奥行き方向、床面から垂直に天井向かう方向を高さ方向、床面から垂直に床下に向かう方向を深さ方向とする。本発明は押入れの奥行きは少なくとも押入れの出し入れ口から遠ざかる方向に長くなっている。例えば、押入れの奥行きが約９００ｍｍで収納空間の深さが約６００ｍｍの場合は、押入れの奥行きが押入れの出し入れ口から遠ざかる方向に２００〜３００ｍｍ程度は長くするとよい。
【０００９】
請求項１記載の発明によると、押入れの真下の床下部分に設けた収納空間と、押入れの中棚の下の部分とを使用して、長尺の収納物を収納することができる。なお、長尺の収納物を出し入れする際は、図１のように、収納物Ｂを破線の様に開口部より斜めに入れ、収納空間の押入れの出し入れ口から遠ざかる方向に長くした収納空間部分を使用して回転させることで、実線の様に長尺の収納物を楽に収納することができる。
【００１０】
長尺の収納物を収納しない時には、収納空間の上端部に蓋を設けると、ごみやほこり等が収納空間内に進入するのを抑制できるため好ましい。また、蓋を閉めた際には、床下の収納空間にはあまり使用しない収納物を収納するなど、用途の使い分けをするとよい。また、収納物を収納ボックスなどに収納して収納空間内に設けると出し入れが容易になり好ましい。
【００１１】
請求項２記載の発明は、請求項１記載の押入れ床下収納装置であって、収納容器が床下部分に設定した移動経路に沿って移動可能にされ、収納容器内の収納物が上記押入れ床面に設けた開口部より出し入れ可能となっていることを特徴とする。
【００１２】
収納容器としては、例えば、特許文献２記載の発明のような床下に設けたレールを環状のエンドレスにし、そのレール上を複数個の収納容器が連続して設置されることにより、収納容器がレールを回転すれば全ての収納容器の収納物が開口部より出し入れできるものなどが使用できる。また、収納庫以外の床下に設けた収納容器に車輪を取り付け、床下底面上を車輪が転がることにより収納容器が移動し開口部から出し入れ可能にしたものなども使用できる。
請求項２記載の発明の構成により、開口部の近隣の床下部分だけでなく、開口部から離れた床下部分の有効利用ができる。また、収納量も増加する。
【発明の効果】
【００１３】
請求項１記載の発明では、押入れの真下の収納空間と押入れの中棚の下の部分を使用し、長尺の収納物を収納することができる。また、収納空間の押入れの出し入れ口から遠ざかる方向に長くした収納空間部分を使用して図１に示すように回転させることで、長尺の収納物を楽に収納することができる。
請求項２記載の発明では、開口部の近隣の床下部分だけでなく、開口部から離れた床下部分の有効利用ができ、収納量も増加させることができる。
【発明を実施するための最良の形態】
【００１４】
以下、本発明の実施の形態を図面に基づいて説明する。
【００１５】
図１〜図７は建物の地上階に本発明の押入れ床下収納装置を用いた例を示す図である。
図１〜図３は実施例１に関する押入れ床下収納装置を示し、図４〜図５は実施例２に関する押入れ床下収納装置を示す。
【実施例１】
【００１６】
以下、本実施例を図面に基づいて説明する。
図１〜図３は、本実施例の押入れ床下収納装置の断面図である。
【００１７】
この押入れ床下収納装置は、押入れＡに本発明を実施した例であり、天袋１、中棚２、側板３、背板４、引き違い戸５で構成される押入れＡと、床蓋６、収納容器７、開口部８、押入れワゴン９、床下底面１０、収納空間１１により構成されている。
【００１８】
この押入れＡは、居室に隣接して設けられている。居室床面は、基礎に床梁１２、床根太１３、床板１４を載せて構成されている。それぞれの高さは、基礎の立ち上がり４００ｍｍ、床梁１２、床根太１３、床板１４を合わせて２００ｍｍの高さを有している。
【００１９】
押入れＡの内部は側板３，３、背板４により水平断面視コ字型に構成され、出し入れ口は引き違いふすま５，５で居室Ｃと仕切られている。上部には天袋１が設けられている。また、押入れ高さ方向の中間部には中棚２が設けられており、居室の床面より約８００ｍｍの高さで側板３，３、背板４に釘により固定されている。
【００２０】
床下底面１０にはコンクリートが打設され、ベタ基礎となっている。また、床下部分と居室部分の温度差などにより収納空間内が結露をしないように、基礎に断熱材を設けた基礎断熱工法になっている。
居室床面と同じ高さには押入れの底部を覆う大きさの蓋６，６が蝶番により開閉自由な状態で設けられている。
押入れの床面には開口部８が押入れ床面と同じ大きさに設けられている。
収納空間１１は押入れ真下の床下部分の収納空間１１ａと出し入れ口から遠ざかる方向に奥行きを長くした収納空間１１ｂ、居室Ｃの真下の床下部分の収納空間１１ｃで構成されている。
【００２１】
また、収納空間１１ｃには収納容器７が設けられている。収納容器７は床下部分に設定した移動経路に沿って移動可能にされ、収納容器７内の収納物が上記押入れ床面に設けた開口部８より出し入れ可能となっている。具体的には、収納容器７の底には車輪１６が設けられており、この車輪１６が回転することより床下底面１０の上を移動できるようになっており、収納空間１１ａと行き来が可能となっている。この床下収納庫７は上部が開放された箱状になっており、上部より収納物の出し入れを行うものとなっている。
【００２２】
蓋６を閉めた状態では、蓋６と中棚２との間の部分も収納空間として用いることができる。閉めた蓋６の上部には、押入れワゴン９を置くと良い。押入れワゴン９は側部には把手１７が、底には車輪１８が設けられており、蓋６上を移動可能となっている。この押入れワゴン９も上部が開放された箱状になっており、上部より収納物の出し入れを行うものとなっている。
【００２３】
次に、本実施例の押入れ床下収納装置の使い方を説明する。長尺の収納物を収納する場合は、引き違いふすま５を開き、蓋６を開ける。図１に示すように、収納物Ｂを開口部８より斜めにしながら、破線に示すように収納空間内に入れ、収納空間１１ｂを利用して回転させて収納物Ｂを実線で示す様に縦に収納する。よって、床下底面１０に長尺の収納物Ｂが置かれ、収納空間１１ａと押入れの中棚２下部分を使い収納された状態となる。この状態では、居室床面から中棚２までが約８００ｍｍ、基礎１９の立ち上がりが約４００ｍｍ、床梁１２、床根太１３、床板１４が合わせて２００ｍｍのため、床下底面１０から中棚までは１４００ｍｍの高さが確保されている。よって、回転の際の、余裕を見込んでも高さが約１３００ｍｍ程度までの収納物であれば、横に寝かす必要がなく、縦に収納することができる。
【００２４】
なお、本実施例では中棚２を居室床面より８００ｍｍに、基礎１９の立ち上がり高さを４００ｍｍ、床梁１２、床根太１３、床板１４を合わせた高さを２００ｍｍとしたが、この高さを増加させることにより更に長尺の収納物も収納することが可能である。
【００２５】
長尺の収納物がない場合は、図２のように、収納容器７を収納空間１１ｃに納め、蓋６を閉めた状態で収納するとよい。収納物は収納空間１１ａ内に収納する。また、蓋６上では、車輪１８のついた押入れワゴン９を使用して収納するとよい。これは、押入れワゴンを移動させるだけで、容易に蓋６を開閉することが可能なためである。なお、収納容器１１ａ内に収納する際に、開口部より取り出し可能な収納ボックス等を用いると出し入れが容易になる。
【００２６】
収納容器７を使用する場合は、図３のように、押入れワゴン９を押入れの外に出し、蓋６を開けて収納空間１１ａより収納物を取り出し、収納空間１１ａに収納物がない状態とする。収納容器７を収納空間１１ｃより収納空間１１ａに引き出して、収納容器７内の収納物を開口部８より出し入れを行う。
【００２７】
以上より実施例１では、収納空間１１ｂにより、長尺の収納物を回転させ、長尺の収納物Ｂを縦に収納することできる。また、収納容器７を使用することにより床下部分を有効に使用し収納量を増加させることができる。
【実施例２】
【００２８】
以下、実施例２を図面に基づいて説明する。
図４は本実施例の押入れ床下収納装置の床下部分の平面図（一点鎖線は上部の開口部２８を示す）、図５は本実施例の押入れ床下収納装置の（ＩＩ）―（ＩＩ）断面図である。
【００２９】
この実施例２の押入れ床下収納装置は実施例１と基本的構成は同じであり、収納容器７に背景技術にあるような環状のエンドレスにしたレールの上部に複数の収納容器２７を設置したものを用いた点が異なる。
この押入れ床下収納装置は天袋２１、中棚２２、側板２３、背板２４、引き違い戸２５で構成される押入れ２Ａと、床蓋２６、収納容器２７、開口部２８、押入れワゴン２９、床下底面２０、収納空間３１により構成されている。
【００３０】
押入れ２Ａ、床下底面２０、蓋２６については、実施例１と同様の構成であるため、記述を省略する。
【００３１】
収納容器２７は床下部分に設定した移動経路に沿って移動可能にされ、収納容器２７内の収納物が開口部２８より出し入れ可能となっている。具体的には、図４、図５に示すように環状のエンドレスになっているレール４１と、レール４１の上方に取り付けられたガイドレール４２、レール４１上を移動する複数個の収納容器２７で構成されている。収納容器２７の下面の内側と外側にそれぞれ車輪４４、４５が設けられている。収納容器２７の内側上方には車輪４６が設けられている。内側の車輪４４がレール４１の上に載せられ、車輪４６がガイドレール４２に載せられていて、このレール４１とガイドレール４２とに導かれて収納容器２７が移動するようになっている。なお、外側の車輪４５は収納容器２７が移動するにつれて回転するようになっている。収納容器２７は複数個が、エンドレスに連結されているため、収納容器２７をレール４１に沿って移動させていくと次々に別の収納容器２７が現れる。
【００３２】
収納空間３１は、実施例１と同様に、押入れの真下の床下収納空間３１ａ、出し入れ口から遠ざかる方向に奥行きを長くした床下収納空間３１ｂ、居室Ｃの床下部分の収納空間３１ｃで構成されている。収納空間３１ａは、３１ａ−１，３１ａ−２で構成され、収納空間３１ａ−２には図４のようにレール４１が敷かれ、収納容器２７が移動できるようになっている。
【００３３】
次に、本実施例の押入れ床下収納装置の使い方を説明する。まず、長尺の収納物Ｂを収納する場合は、実施例１と同様であり、引き違いふすま２５を開き、蓋２６を開ける。収納物を開口部２８より斜めにしながら、収納空間３１ａ−１内に入れ、収納空間３１ｂを利用して回転させて長尺の収納物Ｂを縦に収納する。
【００３４】
収納容器２７を使用する場合は、押入れワゴン２９を押入れの外に出し、収納空間３１ａ−２の蓋２６を開けて収納容器２７が見える状態にする。収納容器２７を回転させて目当ての収納容器２７を選びだし、開口部２８より収納物の出し入れを行う。
【００３５】
以上より実施例２では、収納空間３１ｂを利用して、長尺の収納物Ｂを回転させ、収納物Ｂを縦に収納することができる。収納空間３１ａ−２では、収納容器２７が環状のエンドレスに設けたレール上に複数個あるため、収納量を増加させることができる。
【００３６】
以上、本発明の実施例１及び実施例２を説明したが、本発明は上記実施例に限定されるものではなく、本発明の要旨を逸脱しない範囲の設計変更があっても本発明に含まれるのは勿論である。
【産業上の利用可能性】
【００３７】
建物内に収納庫を設ける際に本発明を利用することにより、長尺の収納物を収納できる押入れ床下収納装置として有効である。
【図面の簡単な説明】
【００３８】
【図１】実施例１の押入れ床下収納装置の断面図（長尺の収納物を収納する場合）
【図２】実施例１の押入れ床下収納装置の断面図（長尺の収納物を収納しない場合）
【図３】実施例１の押入れ床下収納装置の断面図（床下収納を利用する場合）
【図４】実施例２の押入れ床下収納装置の床下部分の平面図
【図５】実施例２の押入れ床下収納装置の（ＩＩ）―（ＩＩ）断面図
【符号の説明】
【００３９】
Ａ、２Ａ  押入れ部分
Ｂ        収納物
Ｃ        居室
１、２１  天袋
２、２２  中棚
３、２３  側板
４、２４  背板
５、２５  引き違い戸
６、２６  蓋
７、２７  収納容器
８、２８  開口部
９、２９  押入れワゴン
１０、２０  床下底面
１１、１１ａ、１１ｂ、１１ｃ  収納空間
３１、３１ａ−１、３１ａ−２、３１ｂ、３１ｃ  収納空間
１２        床梁
１３        床根太
１４        床板
１６、１８  車輪
１７        把手
４１        レール
４２        ガイドレール
４４、４５、４６  車輪
【図１】
2006219962.tif 000003
【図２】
2006219962.tif 000004
【図３】
2006219962.tif 000005
【図４】
2006219962.tif 000006
【図５】
2006219962.tif 000007